(57)【要約】【課題】ハンズフリー型ビデオドアホンにおいて、居住者が世帯端末機に接近するだけで訪問者と通話することができるようにする。【解決手段】ハンズフリー型ビデオドアホン１は、訪問者Ｖを撮影して撮像信号を出力する玄関カメラ１００と、玄関カメラが撮影した映像を表示すると共に、世帯内の居住者Ｒが受話器等を用いることなく訪問者と通話することができる世帯端末機１０と、を備える。世帯端末機１０は、居住者Ｒが一定距離に接近したとき、感知信号を出力する接近センサ１４０及び接近センサ感知部１５０と、各種機器及びセンサ等の入出力を制御する制御部１１０と、制御部１１０から出力される信号に基づいて、玄関カメラ１００との通話信号等の送受信を行う通話部１２０と、を備える。制御部１１０は、接近センサ感知部１５０からの感知信号を受信すると、通話部１２０を作動させて、居住者Ｒと訪問者Ｖとの通話を可能とする。【選択図】図２
2007208991.tif 000002
【特許請求の範囲】
【請求項１】
訪問者を撮影し、撮影された映像を表す撮像信号を出力する玄関カメラと、前記玄関カメラからの撮像信号を受信して映像を表示すると共に、世帯内の居住者が受話器等を用いることなく訪問者と通話することができる世帯端末機と、を備えたハンズフリー型ビデオドアホンにおいて、
前記世帯端末機は、
該世帯端末機への居住者の接近程度を感知し、これを電気的な信号に変換して出力する接近センサと、
前記接近センサから出力される電気的な信号を分析し、前記世帯端末機と居住者との接近程度を算出して、該接近程度が一定距離となったとき、前記世帯端末機へ感知信号を出力する接近センサ感知部と、
前記接近センサ感知部から出力される感知信号に基づいて、前記世帯端末機に接続される各種機器及びセンサ等の入出力を制御する制御部と、
前記制御部から出力される各種状況を表す信号を表示する表示部と、
前記制御部から出力される信号に基づいて、前記玄関カメラに併設されたスピーカ、マイク、警備電話、共同玄関機器又は電話機等の外部機器との通話信号等の送受信を行う通話部と、を備え、
前記制御部は、前記感知信号を受信すると、前記通話部を作動させ、居住者と訪問者との通話を可能とすることを特徴とするハンズフリー型ビデオドアホン。
【請求項２】
前記一定距離は約１ｍであることを特徴とする請求項１に記載のハンズフリー型ビデオドアホン。
【請求項３】
前記表示部は液晶表示装置（ＬＣＤ）又は陰極線管（ＣＲＴ）モニタであることを特徴とする請求項１に記載のハンズフリー型ビデオドアホン。
【請求項４】
前記接近センサは超音波センサ又は赤外線センサであることを特徴とする請求項１に記載のハンズフリー型ビデオドアホン。
【請求項５】
前記制御部は、前記接近センサが超音波又は赤外線を感知すると、居住者と訪問者との通話を行う通話機能及び前記玄関カメラが撮影した映像を表示するモニタリング機能を作動することを特徴とする請求項１に記載のハンズフリー型ビデオドアホン。
【発明の詳細な説明】
【技術分野】
【０００１】
本発明は、世帯内の居住者が訪問者を映像により確認することができ、受話器等を用いることなく訪問者と通話することができるハンズフリー型ビデオドアホンに関する。
【背景技術】
【０００２】
従来から、世帯内の居住者が、訪問者を映像により確認することができ、別途の受話器等を用いることなく、玄関先等の世帯外に居る訪問者と通話することができるようにしたハンズフリー型ビデオドアホンが知られている。この種のハンズフリー型ビデオドアホンは、例えば、居住者が世帯内に備えられた世帯端末機の特定ボタンを押す又はモニタ等に設けられたタッチスクリーンをタッチすることにより、世帯外に居る訪問者と通話することができるようにしたものである。
【発明の開示】
【発明が解決しようとする課題】
【０００３】
しかしながら、例えば、世帯内の主婦が、家事に従事している最中に訪問者があったとき、水気や油等で手を汚した状態のまま、世帯端末機のボタンを押す又はモニタのタッチスクリーンをタッチするといった操作をすることがある。このような操作がなされると、世帯端末機やモニタ等が汚れてしまい、装置が劣化したり故障の原因となり得る。また、家事によっては、主婦が手を自由に使えないこともあり、ビデオドアホンによる通話に際して、その都度ボタンを押す等の操作を要するのは不便である。
【０００４】
本発明は上記課題を解決するものであり、居住者が世帯端末機のボタン等を押したり、タッチスクリーンをタッチするといった一連の操作を行うことなく、直ちに訪問者と通話することができるハンズフリー型ビデオドアホンを提供することを目的とする。
【課題を解決するための手段】
【０００５】
上記課題を解決するため、本発明のハンズフリー型ビデオドアホンは、訪問者を撮影し、撮影された映像を表す撮像信号を出力する玄関カメラと、前記玄関カメラからの撮像信号を受信して映像を表示すると共に、世帯内の居住者が受話器等を用いることなく訪問者と通話することができる世帯端末機と、を備えたハンズフリー型ビデオドアホンにおいて、前記世帯端末機は、該世帯端末機への居住者の接近程度を感知し、これを電気的な信号に変換して出力する接近センサと、前記接近センサから出力される電気的な信号を分析し、前記世帯端末機と居住者との接近程度を算出して、該接近程度が一定距離となったとき、前記世帯端末機へ感知信号を出力する接近センサ感知部と、前記接近センサ感知部から出力される感知信号に基づいて、前記世帯端末機に接続される各種機器及びセンサ等の入出力を制御する制御部と、前記制御部から出力される各種状況を表す信号を表示する表示部と、前記制御部から出力される信号に基づいて、前記玄関カメラに併設された警備ホン、共同玄関機又は電話機等の外部機器との通話信号等の送受信を行う通話部と、を備え、前記制御部は、前記感知信号を受信すると、前記通話部を作動させ、居住者と訪問者との通話を可能とするものである。
【０００６】
また、前記一定距離は約１ｍであることが好ましい。
【０００７】
また、前記表示部は、好ましくは液晶表示装置(ＬＣＤ)又は陰極線管(ＣＲＴ)モニタが使用される。
【０００８】
前記接近センサは、好ましくは超音波センサ及び赤外線センサが使用される。
【０００９】
また、前記制御部は、前記接近センサが超音波又は赤外線を感知すると、居住者と訪問者との通話を行う通話機能及び前記玄関カメラが撮影した映像を表示するモニタリング機能を作動する。
【発明の効果】
【００１０】
本発明によれば、居住者が世帯端末機に接近すると、直ちに訪問者との通話が可能となるので、居住者がボタンを押したり、タッチスクリーンをタッチするといった一連の操作を行う必要がなく、利便性が向上し、また、世帯端末機が汚れることもない。
【発明を実施するための最良の形態】
【００１１】
本発明の一実施形態に係るハンズフリー型ビデオドアホン１について、図１及び図２を参照して説明する。本実施形態のハンズフリー型ビデオドアホン１は、訪問者Ｖを撮影し、撮影された映像を表す撮像信号を出力する玄関カメラ１００と、玄関カメラ１００からの撮像信号を受信して映像を表示すると共に、世帯内の居住者Ｒが受話器等を用いることなく訪問者Ｖと通話することができる世帯端末機１０と、を備える。
【００１２】
世帯端末機１０は、世帯端末機１０への居住者Ｒの接近程度を感知し、これを電気的な信号に変換して出力する接近センサ１４０と、接近センサ１４０から出力される電気的な信号を分析し、世帯端末機１０と居住者Ｒとの接近程度を算出して、この接近程度が一定距離となったときに感知信号を出力する接近センサ感知部１５０と、接近センサ感知部１５０から出力される感知信号に基づいて、世帯端末機１０に接続される各種機器及びセンサ等の入出力を制御する制御部１１０と、制御部１１０から出力される各種状況を表す信号を表示する表示部１３０と、制御部１１０から出力される信号に基づいて、玄関カメラ１００に併設された警備ホン、共同玄関機又は電話機等の外部機器（図示せず）との通話信号等の送受信を行う通話部１２０と、を備える。世帯端末機１０は、図１の例では、複数のボタンを備え、居住者Ｒがボタンを押す等によりハンズフリー型ビデオドアホン１を操作できるタイプを示しているが、同図の符号２０に例示されるようなタッチパネル等により同様の操作を可能としたタイプであってもよい。
【００１３】
玄関カメラ１００は、訪問者Ｖを撮影する撮像装置から成り、主に一般世帯の玄関に設置される。また、玄関カメラ１００には、訪問者Ｖが居住者Ｒを呼び出すための呼出ボタン、訪問者Ｖが居住者Ｒと通話するためのマイク及びスピーカ等が併設される。玄関カメラ１００は、訪問者Ｖが呼出ボタンを押すと、訪問者Ｖを含む玄関付近を撮影し、撮影した映像を信号化して、これを世帯端末機１０へ伝達する。世帯端末機１０の表示部１３０は、玄関カメラ１００から送信された撮像信号を受信して、これを映像として表示する。
【００１４】
また、玄関カメラ１００は、上記の一般世帯の他に、マンションや団地等といった複数の世帯から成る集合住宅にも用いられる。この場合、玄関カメラ１００は共用玄関に設置され、玄関カメラ１００の映像等は、警備室や複数の世帯に設けられた世帯端末機１０に所定の局線等を介して伝達される。
【００１５】
表示部１３０は、ＬＣＤ又はＣＲＴモニタが用いられ、玄関カメラ１００の影像映像を表示する。そのため、世帯内の居住者Ｒは、表示部１３０に示された映像により訪問者Ｖを確認することができる。なお、近年は、黒白（Ｂ／Ｗ）陰極線管（ＣＲＴ）からカラーＬＣＤが多く採用される。また、表示部１３０には、上記のＬＣＤ又はＣＲＴモニタに加えて、世帯端末機１０の各部及び世帯端末機１０に接続された各種機器の状況を表示するＬＥＤ表示部（図示せず）等が備えられる。
【００１６】
通話部１２０は、玄関カメラ１００との通話を主とする一般的なビデオドアホン(ホームオートメーション（Ｈｏｍｅ  Ａｕｔｏｍａｔｉｏｎ）又はホームネットワーク(Ｈｏｍｅ  Ｎｅｔｗｏｒｋ)端末機を含む）としての機能を備える。また、無人警備機能及び電話機能等が内蔵されたビデオホンであってもよく、適宜に種々の通話手段が備えられる。
【００１７】
また、通話部１２０は訪問者Ｖの音声等を発信するスピーカ１６０及び居住者Ｒの音声を収集するマイク１７０に連結される。これらスピーカ１６０及びマイク１７０は世帯端末機１０に内蔵されてもよいし、外付けであってもよいが、居住者Ｒが受話器等を用いることなく通話することができるのに十分な出力を要する。なお、通話部１２０は、上記の玄関カメラ１００に接続されるだけでなく、警備電話、共同玄関機器又は電話等の外部機器と適宜に接続され、これらとの通話機能等を備える。
【００１８】
接近センサ１４０は、超音波センサ又は赤外線センサ等が使用される。接近センサ１４０の種類によって駆動及び感知方法は異なるが、接近センサ１４０と居住者Ｒとの距離が一定距離となった時に、接近センサ感知部１５０は、制御部１１０へ電気的な信号を出力する。なお、本実施形態において、上記の一定距離は約１ｍであることが望ましい。
【００１９】
制御部１１０は、汎用のマイコン等から成り、玄関カメラ１００や、世帯端末機１０に接続された各種の外部機器から呼出信号等を受信すると、表示部１３０に玄関カメラ１００が撮影した映像や各種機器から送信された信号の結果を表示させる。また、制御部１１０は、接近センサ感知部１５０から出力される感知信号を受信すると、通話部１２０により、居住者Ｒと訪問者Ｖとの通話を可能とする通話機能を作動させる。そのため、居住者Ｒは、世帯端末機１０のボタン等を押したり、タッチスクリーンをタッチするといった一連の操作を行うことなく、世帯端末機１０の近くに移動するだけで、直ちに訪問者Ｖと通話することができる。
【００２０】
また、制御部１１０は、待機時において玄関カメラ１００を作動させ、玄関周辺の映像を表示部１３０に表示させるモニタリング機能を備える。このモニタリング機能は、居住者Ｒが世帯端末機１０の近くに移動すると、玄関カメラ１００が撮影した映像を表示部１３０に表示する機能である。これにより、訪問者Ｖが来ていないときであっても、居住者Ｒは玄関先の映像を任意に見ることができる。また、モニタリング機能の作動時に訪問者Ｖが呼出ボタンを押すと、制御部１１０は、上記の通話機能を作動する。また、居住者Ｒは、特定のボタンを押す等の操作により、訪問者Ｖの有無に依らず任意に通話機能を作動させることができる。
【００２１】
なお、本発明は、接近センサーを利用することにより、世帯内の居住者Ｒが世帯端末機に接近すれば、直ちに訪問者Ｖとの通話が可能となるよう構成されたハンズフリー型ビデオドアホンであれば上記実施形態に限られることなく種々の変形が可能である。
【００２２】
また、本出願は、大韓民国特許出願１０−２００６−００９８８７号に基づいており、その特許出願の内容は、参照によって本出願に組み込まれる。
【図面の簡単な説明】
【００２３】
【図１】本発明の一実施形態に係るハンズフリー型ビデオドアホンの構成図。
【図２】同ハンズフリー型ビデオドアホンのブロック構成図。
【符号の説明】
【００２４】
１    ハンズフリー型ビデオドアホン
１０    世帯端末機
１００    玄関カメラ
１１０    制御部
１２０    通話部
１３０    表示部
１４０    接近センサ
１５０    接近センサ感知部
【図１】
2007208991.tif 000003
【図２】
2007208991.tif 000004